(57)【要約】【課題】音声出力端子に接続したヘッドホンやイヤホンからの音声出力とスピーカからの音声出力とを切り替える際の操作性を向上し得る音響装置を提供する。【解決手段】スピーカ１６と、ヘッドホン４の接続端子を接続可能なジャック１８と、スピーカ１６およびジャック１８に対する音声信号Ｓｖの出力を制御する音声出力制御部１５とを備え、音声出力制御部１５は、接続端子とジャック１８とが接続されている状態においてリモコン３を用いた所定の操作が行われたときに、スピーカ１６に対して音声信号Ｓｖを出力する。【選択図】図１
2007116397.tif 000002
【特許請求の範囲】
【請求項１】
スピーカと、ヘッドホンまたはイヤホンの少なくとも一方の接続端子を接続可能な音声出力端子と、前記スピーカおよび前記音声出力端子に対する音声信号の出力を制御する制御部とを備えた音響装置であって、
前記制御部は、前記接続端子と前記音声出力端子とが接続されている状態において操作部を用いた所定の操作が行われたときに、前記スピーカに対して前記音声信号を出力する音響装置。
【請求項２】
スピーカと、ヘッドホンまたはイヤホンの少なくとも一方の接続端子を接続可能な音声出力端子と、前記スピーカおよび前記音声出力端子に対する音声信号の出力を制御する制御部とを備えた音響装置であって、
前記制御部は、前記接続端子と前記音声出力端子とが接続されている状態において操作部を用いた所定の操作が行われたときに、前記スピーカおよび前記音声出力端子に対する前記音声信号の出力または出力停止を規定した複数の音声出力モードで当該音声信号の出力を制御する音響装置。
【請求項３】
前記制御部は、前記接続端子と前記音声出力端子とが接続されている状態において、前記スピーカに対する前記音声信号の出力を停止すると共に前記音声出力端子に対して当該音声信号を出力する第１音声出力モード、前記スピーカおよび前記音声出力端子の双方に対して前記音声信号を出力する第２音声出力モード、並びに前記スピーカに対して前記音声信号を出力すると共に前記音声出力端子に対する当該音声信号の出力を停止する第３音声出力モードを前記所定の操作に従って順次切り替えると共に当該切り替えた音声出力モードで当該音声信号の出力を制御する請求項２記載の音響装置。
【請求項４】
前記制御部は、前記接続端子と前記音声出力端子との接続が解除されたときに、前記スピーカに対して前記音声信号を出力すると共に前記音声出力端子に対する当該音声信号の出力を停止する請求項１から３のいずれかに記載の音響装置。
【請求項５】
前記制御部は、前記接続端子と前記音声出力端子とが接続されたときに、前記スピーカに対する前記音声信号の出力を停止すると共に前記音声出力端子に対して当該音声信号を出力する請求項１から４のいずれかに記載の音響装置。
【発明の詳細な説明】
【技術分野】
【０００１】
本発明は、スピーカと、ヘッドホンやイヤホンの接続端子を接続可能な音声出力端子と、スピーカおよび音声出力端子に対する音声信号の出力を制御する制御部とを備えた音響装置に関するものである。
【背景技術】
【０００２】
スピーカと、ヘッドホンやイヤホンのプラグ（接続端子）を接続可能なジャック（音声出力端子）とを備えた音響機器では、一般的に、プラグがジャックに接続されている状態では、ジャックを介してヘッドホンから音声が出力されると共に、スピーカに対する音声信号の出力が停止される。一方、この種の音響機器において、予め設定した時刻に電源が投入されるタイマ機能を有しているものが従来から知られている。この音響装置では、タイマ機能を用いて所望の時刻に音響機器から音声を出力させることで、音響装置を例えば「目覚まし」として利用することが可能となっている。しかしながら、この種の音響装置では、上記したように、一般的に、プラグがジャックに接続されている状態では、スピーカに対する音声信号の出力が停止されるため、プラグを抜き忘れたときには、スピーカからは音声が出力されずに「目覚まし」として機能しないという不都合が生じる。この問題点を解決可能な手段として、特開平７−３３４９８０号に開示されたテレビジョン受像機が知られている。このテレビジョン受像機では、タイマによって電源がオンとなったときには、イヤホン端子にイヤホンのプラグが接続されているか否かに拘わらずスピーカから音声が出力される。このため、プラグをイヤホン端子から抜き忘れたとしても、このテレビジョン受像機を「目覚まし」として確実に機能させることが可能となっている。
【特許文献１】特開平７−３３４９８０号公報（第３−５頁、第１−３図）
【発明の開示】
【発明が解決しようとする課題】
【０００３】
ところが、従来のテレビジョン受像機には、以下の問題点がある。すなわち、従来のテレビジョン受像機では、タイマによって電源がオンとなったときに限り、イヤホン端子にプラグが接続されている状態におけるスピーカからの音声出力が可能となっている。このため、イヤホン端子にプラグを接続したまま電源をオフにして次にリモコンの電源キーを用いて電源をオンした際には、そのままの状態ではスピーカからは音声が出力されない。したがって、この際に、スピーカからの音声出力を希望するときには、テレビジョン受像機に近づいてプラグを抜き取る必要がある。また、例えば、イヤホンを用いて番組を視聴している途中で、イヤホンからの音声出力に代えてスピーカからの音声出力を希望するときにも、同様にしてテレビジョン受像機に近づいてプラグを抜き取る必要がある。したがって、このテレビジョン受像機には、イヤホンからの音声出力とスピーカからの音声出力とを切り替える際の操作が煩雑であるという問題点が存在する。
【０００４】
本発明は、かかる問題点に鑑みてなされたものであり、音声出力端子に接続したヘッドホンやイヤホンからの音声出力とスピーカからの音声出力とを切り替える際の操作性を向上し得る音響装置を提供することを主目的とする。
【課題を解決するための手段】
【０００５】
上記目的を達成すべく本発明に係る音響装置は、スピーカと、ヘッドホンまたはイヤホンの少なくとも一方の接続端子を接続可能な音声出力端子と、前記スピーカおよび前記音声出力端子に対する音声信号の出力を制御する制御部とを備えた音響装置であって、前記制御部は、前記接続端子と前記音声出力端子とが接続されている状態において操作部を用いた所定の操作が行われたときに、前記スピーカに対して前記音声信号を出力する。
【０００６】
また、本発明に係る音響装置は、スピーカと、ヘッドホンまたはイヤホンの少なくとも一方の接続端子を接続可能な音声出力端子と、前記スピーカおよび前記音声出力端子に対する音声信号の出力を制御する制御部とを備えた音響装置であって、前記制御部は、前記接続端子と前記音声出力端子とが接続されている状態において操作部を用いた所定の操作が行われたときに、前記スピーカおよび前記音声出力端子に対する前記音声信号の出力または出力停止を規定した複数の音声出力モードで当該音声信号の出力を制御する。
【０００７】
この音響装置では、接続端子と音声出力端子とが接続されている状態において操作部を用いた所定の操作が行われたときに、制御部が、スピーカおよび音声出力端子に対する音声信号の出力または出力停止を規定した複数の音声出力モードで音声信号の出力を制御してスピーカおよび音声出力端子に対して音声信号を出力する。このため、電源キーを用いて電源をオンしたときにはジャックからプラグを引き抜かない限りスピーカから音声を出力させることができない従来のテレビジョン受像機とは異なり、接続端子と音声出力端子とを接続させたままの状態においても、操作部を用いた所定の操作を行うだけでスピーカから音声を出力させることができる。したがって、この音響装置によれば、接続端子を介して音声出力端子に接続したヘッドホンまたはイヤホンからの音声出力とスピーカからの音声出力とを切り替える際の操作性を十分に向上させることができる。
【０００８】
また、本発明に係る音響装置は、上記の音響装置において、前記制御部は、前記接続端子と前記音声出力端子とが接続されている状態において、前記スピーカに対する前記音声信号の出力を停止すると共に前記音声出力端子に対して当該音声信号を出力する第１音声出力モード、前記スピーカおよび前記音声出力端子の双方に対して前記音声信号を出力する第２音声出力モード、並びに前記スピーカに対して前記音声信号を出力すると共に前記音声出力端子に対する当該音声信号の出力を停止する第３音声出力モードを前記所定の操作に従って順次切り替えると共に当該切り替えた音声出力モードで当該音声信号の出力を制御する。
【０００９】
この音響装置では、制御部が、操作部を用いた所定の操作に従って第１音声出力モード、第２音声出力モードおよび第３音声出力モードを順次切り替えると共に、切り替えた音声出力モードで音声信号の出力を制御する。このため、接続端子と音声出力端子とを接続させたままの状態で、スピーカからの音声出力、ヘッドホンまたはイヤホンからの音声出力、並びにスピーカおよびヘッドホンまたはイヤホンの双方からの音声出力を操作部を用いた所定の操作だけで容易に切り替えることができる。
【００１０】
また、本発明に係る音響装置は、上記の音響装置において、前記制御部は、前記接続端子と前記音声出力端子との接続が解除されたときに、前記スピーカに対して前記音声信号を出力すると共に前記音声出力端子に対する当該音声信号の出力を停止する。
【００１１】
この音響装置では、接続端子と音声出力端子との接続が解除されたときに、制御部が、スピーカに対して音声信号を出力すると共に音声出力端子に対する音声信号の出力を停止する。このため、接続端子と音声出力端子との接続状態における音声信号の出力先がいずれであるかに拘わらず、接続端子を音声出力端子から引き抜いて両者の接続を解除するだけで、スピーカから音声を確実に出力させることができる。
【００１２】
また、本発明に係る音響装置は、上記の音響装置において、前記制御部は、前記接続端子と前記音声出力端子とが接続されたときに、前記スピーカに対する前記音声信号の出力を停止すると共に前記音声出力端子に対して当該音声信号を出力する。
【００１３】
この音響装置では、接続端子と音声出力端子とが接続されたときに、制御部が、スピーカに対する音声信号の出力を停止すると共に音声出力端子に対して音声信号を出力する。このため、接続端子と音声出力端子とを接続させるだけで、接続端子を介して音声出力端子に接続されているヘッドホンまたはイヤホンから音声を確実に出力させることができる。
【発明を実施するための最良の形態】
【００１４】
以下、本発明に係る音響装置の最良の形態について、添付図面を参照して説明する。図１に示すプロジェクションテレビ（以下、単に「テレビ」ともいう）１は、本発明に係る音響装置を備えたテレビの一例であって、同図に示すように、本体部２およびリモコン３を備えて構成されている。本体部２は、チューナ１１、映像音声処理部１２、映像出力部１３、表示部１４、音声出力制御部１５、スピーカ１６、接続検出部１７、ジャック１８、キー入力処理部１９および主制御部２０を備えている。この場合、音声出力制御部１５、スピーカ１６、接続検出部１７、キー入力処理部１９および主制御部２０によって本発明に係る音響装置が構成される。
【００１５】
チューナ１１は、一例として、ＢＳデジタル放送、１１０度ＣＳデジタル放送、地上デジタル放送および地上アナログ放送等の各種放送信号を受信可能に構成されて、主制御部２０の制御に従い、所定のチャンネルを選局してそのチャンネルの映像音声信号Ｓａを図外のアンテナで受信した放送波から抽出して映像音声処理部１２に出力する。映像音声処理部１２は、主制御部２０の制御に従い、チューナ１１から出力された映像音声信号Ｓａに基づく映像信号Ｄｐおよび音声信号Ｄｖを映像出力部１３および音声出力制御部１５にそれぞれ出力する。映像出力部１３は、主制御部２０の制御に従い、映像音声処理部１２から出力された映像信号Ｄｐをテレビ映像Ｐｔ（図２参照）の表示用の映像信号Ｓｐに変換して表示部１４に出力する。表示部１４は、一例として、光学エンジンおよびスクリーンパネル（いずれも図示せず）を備え、映像出力部１３から出力された映像信号Ｓｐに対応する映像を表示する。具体的には、この表示部１４は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１６】
音声出力制御部１５は、本発明における制御部に相当し、映像音声処理部１２から出力された音声信号Ｄｖを増幅すると共に、増幅後の音声信号Ｓｖの出力を制御する。具体的には、音声出力制御部１５は、ヘッドホン４のプラグ４ａ（図２参照）がジャック１８に挿入されて両者が接続されたときには、図３に示す音声出力モード切替処理４０を実行することにより、スピーカ１６に対する音声信号Ｓｖの出力を停止（出力ｏｆｆ）すると共にジャック１８に対して音声信号Ｓｖを出力（出力ｏｎ）する第１音声出力モードで音声信号Ｓｖの出力を制御する。また、音声出力制御部１５は、プラグ４ａがジャック１８に接続されている状態において後述するリモコン３の音声出力モード切替キー３３に対応する赤外線信号Ｓｉが出力されたときには、図５に示す音声出力モード切替処理５０を実行することにより、上記した第１音声出力モード、および次に説明する第２音声出力モード〜第４音声出力モードの４つ（本発明における複数の一例）の音声出力モードのうちのいずれかの音声出力モードで音声信号Ｓｖの出力を制御する。この場合、音声出力制御部１５は、第２音声出力モードで音声信号Ｓｖの出力を制御する際には、スピーカ１６およびジャック１８の双方に対して音声信号Ｓｖを出力する。また、音声出力制御部１５は、第３音声出力モードで音声信号Ｓｖの出力を制御する際には、スピーカ１６に対して音声信号Ｓｖを出力すると共にジャック１８に対する音声信号Ｓｖの出力を停止し、第４音声出力モードで音声信号Ｓｖの出力を制御する際には、スピーカ１６およびジャック１８の双方に対する音声信号Ｓｖの出力を停止する。さらに、音声出力制御部１５は、ジャック１８に接続されていたプラグ４ａが引き抜かれて両者の接続が解除されたときには、図４に示す音声出力モード切替処理７０を実行することにより、上記した第３音声出力モードで音声信号Ｓｖの出力を制御する。
【００１７】
スピーカ１６は、音声出力制御部１５から出力された音声信号Ｓｖに基づく音声を出力する。なお、本明細書における「音声」には、人の声のみならず、鳥の鳴き声、風の音および音楽等の各種の「音」が含まれる。接続検出部１７は、例えば、図２に示すヘッドホン４のプラグ４ａがジャック１８に接続されているときに検出信号Ｓｄを音声出力制御部１５に出力し、プラグ４ａがジャック１８から抜き取られているとき（接続が解除されているとき）に検出信号Ｓｄの出力を停止する。ジャック１８は、本発明における音声出力端子に相当し、図２に示すように、テレビ１の正面パネルに取り付けられている。また、ジャック１８は、同図に示すヘッドホン４のプラグ４ａを接続可能に構成されて、接続されているプラグ４ａに対して音声出力制御部１５からの音声信号Ｓｖを出力する。キー入力処理部１９は、リモコン３から出力される赤外線信号Ｓｉを受光して復調信号Ｓｃを出力する受光部１９ａを備えて構成され、受光部１９ａからの復調信号Ｓｃに対応する（つまりリモコン３の操作キーに対応する）操作信号Ｓｏを主制御部２０に出力する。主制御部２０は、キー入力処理部１９から出力された操作信号Ｓｏに従い、チューナ１１、映像音声処理部１２、映像出力部１３および音声出力制御部１５を制御する。
【００１８】
リモコン３は、本発明における操作部に相当し、図２に示すように、本体部２とは別体に形成されている。また、リモコン３は、電源キー３１、１２個のチャンネル指定キー３２および音声出力モード切替キー３３などの各種操作キーが配列されて構成され、これらの操作キーが操作されたときに、各操作キーに対応する赤外線信号Ｓｉを出力（送信）する。
【００１９】
次に、テレビ１の全体的な動作について、図面を参照して説明する。なお、初期状態では、テレビ１のジャック１８には、ヘッドホン４のプラグ４ａ（図２参照）が接続されていないものとする。このテレビ１では、リモコン３の電源キー３１が操作されたときに、表示部１４の光学エンジンに電源が供給されて、光源が発光する。また、主制御部２０が、チューナ１１を制御して、直前の電源切断時に選局されていたチャンネル（例えばチャンネルＣＨ３）の映像音声信号Ｓａを抽出させる。次いで、チューナ１１が、主制御部２０の制御に従ってチャンネルＣＨ３の映像音声信号Ｓａを映像音声処理部１２に出力する。続いて、映像音声処理部１２が、映像音声信号Ｓａに基づく映像信号Ｄｐおよび音声信号Ｄｖを映像出力部１３および音声出力制御部１５にそれぞれ出力する。
【００２０】
次いで、映像出力部１３が、映像信号Ｄｐをテレビ映像Ｐｔの表示用の映像信号Ｓｐに変換して表示部１４に出力する。続いて、表示部１４の光学エンジンが、光源からの光を映像信号Ｓｐに基づいて投射光に変調してスクリーンパネルに投射する。これにより、図２に示すように、チャンネルＣＨ３のテレビ映像Ｐｔが表示部１４に表示される。また、音声出力制御部１５が、音声信号Ｄｖを直前の電源切断時に設定されていた音量レベルとなるように増幅して、増幅後の音声信号Ｓｖをスピーカ１６に出力する。これにより、音声信号Ｓｖに基づく音声がスピーカ１６から出力される。
【００２１】
次に、例えば、図２に示すヘッドホン４を用いて音声を聴く際には、テレビ１の正面パネルに取り付けられたジャック１８にヘッドホン４のプラグ４ａを接続する。この際に、接続検出部１７がジャック１８とプラグ４ａとの接続を検出して検出信号Ｓｄを音声出力制御部１５に出力する。これに応じて、音声出力制御部１５は、図３に示す音声出力モード切替処理４０を実行する。この音声出力モード切替処理４０では、音声出力制御部１５は、スピーカ１６に対する音声信号Ｓｖの出力を停止すると共に、ジャック１８に対して音声信号Ｓｖを出力する（ステップ４１）。つまり、音声出力制御部１５は、第１音声出力モードで音声信号Ｓｖの出力を制御する。次いで、音声出力制御部１５は、現在の音声出力モードが第１音声出力モードである旨を示す例えばフラグ「１」を図外のメモリに記憶させて（ステップ４２）、この音声出力モード切替処理４０を終了する。これにより、スピーカ１６からの音声出力が停止すると共に、音声信号Ｓｖに基づく音声がヘッドホン４から出力される。
【００２２】
ここで、このテレビ１では、ヘッドホン４のプラグ４ａをジャック１８に接続したままの状態において、上記した４つの音声出力モードの中から任意の音声出力モードを選択する（切り替える）ことが可能となっている。この音声出力モードを切り替えるときには、図２に示すリモコン３における音声出力モード切替キー３３の操作（本発明における操作部を用いた所定の操作）を行う。この際に、リモコン３が、音声出力モード切替キー３３に対応する赤外線信号Ｓｉを出力する。次いで、キー入力処理部１９の受光部１９ａが赤外線信号Ｓｉを受光して復調信号Ｓｃを出力する。また、キー入力処理部１９が、その復調信号Ｓｃに対応する操作信号Ｓｏを主制御部２０に出力し、主制御部２０がその操作信号Ｓｏに従って音声出力制御部１５に制御信号Ｓｅを出力する。これに応じて、音声出力制御部１５は、図５に示す音声出力モード切替処理５０を実行する。
【００２３】
この音声出力モード切替処理５０では、音声出力制御部１５は、検出信号Ｓｄが接続検出部１７から出力されているか否か、つまりプラグ４ａがジャック１８に接続されているか否かを判別する（ステップ５１）。この場合、プラグ４ａがジャック１８に接続されているため、音声出力制御部１５は、音声出力モードを示すフラグの数値を１だけ繰り上げて（ステップ５２）、その数値のフラグを図外のメモリに記憶する。この際に、上記したように、プラグ４ａがジャック１８に接続された際に、音声出力モードのフラグが１に設定されているため、繰り上げ後の音声出力モードのフラグは２となる（第２音声出力モードに設定される）。続いて、音声出力制御部１５は、音声出力モードのフラグが２であるか否かを判別する（ステップ５３）。この場合、音声出力モードのフラグが２であるため、音声出力制御部１５は、第２音声出力モードで音声信号Ｓｖの出力を制御することにより、音声信号Ｓｖに基づく音声をスピーカ１６およびヘッドホン４の双方から出力させる（ステップ５４）。次いで、音声出力制御部１５は、現在の音声出力モードが第２音声出力モードである旨を示すフラグ２を図外のメモリに記憶させて、音声出力モード切替処理５０を終了する。
【００２４】
次いで、リモコン３の音声出力モード切替キー３３を再度操作した際には、音声出力制御部１５は、音声出力モード切替処理５０を実行する。この場合、音声出力制御部１５は、上記と同様にして、ステップ５１を実行した後にステップ５２を実行する。この場合、音声出力モードのフラグが２に設定されているため、繰り上げ後の音声出力モードのフラグは３となる（第３音声出力モードに設定される）。続いて、音声出力制御部１５は、音声出力モードのフラグが２であるか否かを判別する（ステップ５３）。この場合、音声出力モードのフラグが２ではないため、音声出力制御部１５は、音声出力モードのフラグが３であるか否かを判別する（ステップ５５）。この場合、音声出力モードのフラグが３であるため、音声出力制御部１５は、第３音声出力モードで音声信号Ｓｖの出力を制御することにより、音声信号Ｓｖに基づく音声をスピーカ１６から出力させると共に、ヘッドホン４からの音声出力を停止させる（ステップ５６）。次いで、音声出力制御部１５は、現在の音声出力モードが第３音声出力モードである旨を示すフラグ３を図外のメモリに記憶させて、音声出力モード切替処理５０を終了する。
【００２５】
次に、リモコン３の音声出力モード切替キー３３を再度操作した際には、音声出力制御部１５は、音声出力モード切替処理５０を実行する。この場合、音声出力制御部１５は、上記と同様にして、ステップ５１を実行した後にステップ５２を実行する。この場合、音声出力モードのフラグが３に設定されているため、繰り上げ後の音声出力モードのフラグは４となる（第４音声出力モードに設定される）。次いで、音声出力制御部１５は、ステップ５３において音声出力モードのフラグが２ではないと判別し、ステップ５５において音声出力モードのフラグが３ではないと判別して、続いて、音声出力モードのフラグが４であるか否かを判別する（ステップ５７）。この場合、音声出力モードのフラグが４であるため、音声出力制御部１５は、第４音声出力モードで音声信号Ｓｖの出力を制御することにより、スピーカ１６およびヘッドホン４の双方からの音声出力を停止させる（ステップ５８）。次いで、音声出力制御部１５は、現在の音声出力モードが第４音声出力モードである旨を示すフラグ４を図外のメモリに記憶させて、音声出力モード切替処理５０を終了する。
【００２６】
次に、リモコン３の音声出力モード切替キー３３を再度操作した際には、音声出力制御部１５は、音声出力モード切替処理５０を実行する。この場合、音声出力制御部１５は、上記と同様にして、ステップ５１を実行した後にステップ５２を実行する。この場合、第４音声出力モードに設定されているため、ステップ５２においてそのまま繰り上げを行ったときには繰り上げ後の音声出力モードのフラグが５となり、対応する音声出力モードが存在しないこととなる。このため、音声出力制御部１５は、繰り上げ後の音声出力モードのフラグが５となるときには、そのフラグを１に変更する（第１音声出力モードに設定する）。次いで、音声出力制御部１５は、ステップ５３において音声出力モードのフラグが２ではないと判別し、ステップ５５において音声出力モードのフラグが３ではないと判別し、続いて、音声出力モードのフラグが４であるか否かを判別する（ステップ５７）。この場合、音声出力モードのフラグが４ではないため、音声出力制御部１５は、第１音声出力モードで音声信号Ｓｖの出力を制御することにより、スピーカ１６からの音声出力を停止させると共に、音声信号Ｓｖに基づく音声をヘッドホン４から出力させる（ステップ５９）。次いで、音声出力制御部１５は、現在の音声出力モードが第１音声出力モードである旨を示すフラグ１を図外のメモリに記憶させて、音声出力モード切替処理５０を終了する。以下、音声出力制御部１５は、ジャック１８にプラグ４ａが接続されている状態においてリモコン３の音声出力モード切替キー３３が操作される度に、上記した音声出力モード切替処理５０のステップ５１〜５９を実行する。このため、音声出力モード切替キー３３を繰り返して操作することで、第１音声出力モード〜第４音声出力モードで音声信号Ｓｖに基づく音声の出力および出力停止が行われる。
【００２７】
次に、ジャック１８に接続されているプラグ４ａを引き抜いたときには、接続検出部１７が検出信号Ｓｄの出力を停止する。これに応じて、音声出力制御部１５は、図４に示す音声出力モード切替処理７０を実行する。この音声出力モード切替処理７０では、音声出力制御部１５は、スピーカ１６に対して音声信号Ｓｖを出力すると共に、ジャック１８に対する音声信号Ｓｖの出力を停止する（ステップ７１）。つまり、音声出力制御部１５は、第３音声出力モードで音声信号Ｓｖの出力を制御する。次いで、音声出力制御部１５は、現在の音声出力モードが第３音声出力モードである旨を示すフラグ３を図外のメモリに記憶させて（ステップ７２）、この音声出力モード切替処理７０を終了する。これにより、音声信号Ｓｖに基づく音声がスピーカ１６から出力されると共に、ヘッドホン４からの音声出力が停止する。
【００２８】
また、このテレビ１では、ジャック１８にプラグ４ａが接続されていない状態では、上記したリモコン３の音声出力モード切替キー３３が「ミュートキー」として機能する。具体的には、プラグ４ａがジャック１８に接続されていない状態において、音声出力モード切替キー３３が操作されたときには、音声出力制御部１５は、音声出力モード切替処理５０のステップ５１において、プラグ４ａがジャック１８に接続されていないと判別し、次いで、スピーカ１６に対する音声信号Ｓｖの出力が停止しているか否かを判別する（ステップ６０）。この際に、スピーカ１６に対する音声信号Ｓｖの出力が停止されていないとき、つまりスピーカ１６から音声が出力されているときには、音声出力制御部１５は、スピーカ１６に対する音声信号Ｓｖの出力を停止（ミュート）し、音声出力モードを４に設定して（ステップ６１）、音声出力モード切替処理５０を終了する。一方、ステップ６０において、スピーカ１６に対する音声信号Ｓｖの出力が停止されているとき、つまりスピーカ１６から音声が出力されていないときには、音声出力制御部１５は、スピーカ１６に対して音声信号Ｓｖを出力（ミュートを解除）し、音声出力モードを３に設定して（ステップ６２）、音声出力モード切替処理５０を終了する。
【００２９】
このように、このテレビ１によれば、ヘッドホン４のプラグ４ａがジャック１８に接続されている状態において音声出力モード切替キー３３の操作が行われたときに、音声出力制御部１５が、第２音声出力モードまたは第３音声出力モードで音声信号Ｓｖの出力を制御してスピーカ１６に対して音声信号Ｓｖを出力することにより、電源キーを用いて電源をオンしたときにはジャックからプラグを引き抜かない限りスピーカから音声を出力させることができない従来のテレビジョン受像機とは異なり、プラグ４ａをジャック１８に接続したままの状態においても、音声出力モード切替キー３３を操作するだけでスピーカ１６から音声を出力させることができる。したがって、このテレビ１によれば、プラグ４ａを介してジャック１８に接続したヘッドホン４からの音声出力とスピーカ１６からの音声出力とを切り替える際の操作性を十分に向上させることができる。
【００３０】
また、プラグ４ａとジャック１８とが接続されている状態において音声出力モード切替キー３３の操作が行われたときに、音声出力制御部１５が、第１音声出力モード、第２音声出力モードおよび第３音声出力モードを音声出力モード切替キー３３の操作に従って順次切り替えると共に、切り替えた音声出力モードで音声信号Ｓｖの出力を制御することにより、プラグ４ａをジャック１８に接続したままの状態で、スピーカ１６からの音声出力、ヘッドホン４からの音声出力、並びにスピーカ１６およびヘッドホン４の双方からの音声出力を音声出力モード切替キー３３の操作だけで容易に切り替えることができる。
【００３１】
また、プラグ４ａとジャック１８との接続が解除されたときに、音声出力制御部１５が、スピーカ１６に対して音声信号Ｓｖを出力すると共にジャック１８に対する音声信号Ｓｖの出力を停止することにより、プラグ４ａをジャック１８に接続している状態における音声出力モードに拘わらず、プラグ４ａをジャック１８から引き抜くだけで、スピーカ１６から音声を確実に出力させることができる。
【００３２】
また、プラグ４ａとジャック１８とが接続されたときに、音声出力制御部１５が、スピーカ１６に対する音声信号Ｓｖの出力を停止すると共にジャック１８に対して音声信号Ｓｖを出力することにより、プラグ４ａをジャック１８に接続するだけで、プラグ４ａを介してジャック１８に接続されているヘッドホン４から音声を確実に出力させることができる。
【００３３】
なお、本発明は、上記の構成に限定されない。例えば、光学エンジンおよびスクリーンパネルを備えて表示部１４を構成した例について上記したが、表示部として、ＣＲＴ、液晶表示パネルおよびプラズマディスプレイ等を採用することもできる。また、テレビに限定されず、ステレオやラジオ等の各種の音響機器に本発明を適用することができる。また、音声出力モード切替キー３３がミュートキーとしても機能する例について上記したが、ミュートキーを音声出力モード切替キー３３とは別に設ける構成を採用することもできる。また、カーソルキー等の他の操作キーを音声出力モード切替キーとして機能させる構成を採用することもできる。また、テレビ１に備えられているリモコン３からの赤外線信号Ｓｉに従って音声出力制御部１５が各種の処理を実行する例について上記したが、外部装置のリモコンや汎用のリモコンからの赤外線信号Ｓｉ、或いは本体の操作部からの操作に従って各種の処理を実行するように音声出力制御部１５を構成することもできる。また、ヘッドホン４を用いる例について上記したが、ヘッドホン４に代えて、イヤホンを用いることもできる。
【図面の簡単な説明】
【００３４】
【図１】テレビ１の構成を示すブロック図である。
【図２】テレビ１およびヘッドホン４の正面図である。
【図３】音声出力モード切替処理４０のフローチャートである。
【図４】音声出力モード切替処理７０のフローチャートである。
【図５】音声出力モード切替処理５０のフローチャートである。
【符号の説明】
【００３５】
１  テレビ、３  リモコン、４  ヘッドホン、４ａ  接続端子プラグ、１５  音声出力制御部、１６  スピーカ、１８  ジャック、３３  音声出力モード切替キー、Ｓｏ  操作信号、Ｓｖ  音声信号
【図１】
2007116397.tif 000003
【図２】
2007116397.tif 000004
【図３】
2007116397.tif 000005
【図４】
2007116397.tif 000006
【図５】
2007116397.tif 000007